(57)【特許請求の範囲】
【請求項１】
符号化画像の種類毎に区別されたピクチャ・タイプのピクチャ・データを組み合わせて、所定のピクチャ数分から構成される映像データをアクセス単位として、当該映像データを組み合わせて構成される映像情報をディスク記憶媒体に記録し、当該ディスク記憶媒体から指定の映像情報を再生する機能を備えた映像情報の記録再生システムであって、
前記アクセス単位の映像データ中において、前記ピクチャ・データの境界位置を編集処理用の位置として設定できる設定手段と、
前記設定手段により設定された位置を基準として前記映像データ中から再生対象として選択された映像データ部分の先頭ピクチャ・データのピクチャ・タイプが独立して復号化できるＩタイプであるか否かを判定する判定手段と、
前記判定手段の判定結果に基づいて、前記先頭ピクチャ・データがＩタイプでない場合には前記先頭ピクチャ・データをＩタイプのピクチャ・データに変換する手段と、
前記映像データ中から前記再生対象として選択されない再生不可の映像データ部分を再生無効データに変換し、当該再生無効データと、前記再生対象として選択されて、かつ前記先頭ピクチャ・データがＩタイプとして設定された映像データ部分とを含む前記アクセス単位の新たな映像データを生成する編集手段と
を具備したことを特徴とする映像情報の記録再生システム。
【請求項２】
前記アクセス単位の映像データから構成される映像情報毎に連続再生データを管理するためのデータ管理テーブル手段を有し、
前記データ管理テーブル手段を使用し、前記設定手段により設定された位置を基準として分割されて前記編集手段により編集された前記アクセス単位の映像データを含む映像情報を連続再生データとして管理し、かつ前記位置を基準として分割されて編集された前記アクセス単位の映像データを除く他方の映像情報を再生無効データとして管理する手段を有することを特徴とする請求項１に記載の映像情報の記録再生システム。
【請求項３】
前記設定手段により設定された位置を基準として再生対象として選択された映像データ部分を含み、編集処理前の前記アクセス単位の映像データを前記ディスク記憶媒体の所定の領域にコピーするコピー手段を有することを特徴とする請求項１に記載の映像情報の記録再生システム。
【請求項４】
前記編集手段により編集されたアクセス単位の映像データを元の映像データに復元する場合に、前記コピー手段によりコピーされた映像データを使用する復元手段を有することを特徴とする請求項３に記載の映像情報の記録再生システム。
【請求項５】
符号化画像の種類毎に区別されたピクチャ・タイプのピクチャ・データを組み合わせて、所定のピクチャ数分から構成される映像データをアクセス単位として、当該映像データを組み合わせて構成される映像情報をディスク記憶媒体に記録し、当該ディスク記憶媒体から指定の映像情報を再生する機能を備えた映像情報の記録再生システムに適用する映像編集方法であって、
前記アクセス単位の映像データ中において、前記ピクチャ・データの境界位置を編集処理用の位置として設定するステップと、
前記設定ステップにより設定された位置を基準として前記映像データ中から再生対象として選択された映像データ部分の先頭ピクチャ・データのピクチャ・タイプが独立して復号化できるＩタイプであるか否かを判定するステップと、
前記判定ステップの判定結果に基づいて、前記先頭ピクチャ・データがＩタイプでない場合には前記先頭ピクチャ・データをＩタイプのピクチャ・データに変換するステップと、
前記映像データ中から前記再生対象として選択されない再生不可の映像データ部分を再生無効データに変換するステップと、
前記変換ステップにより変換された前記再生無効データと、前記再生対象として選択されて、かつ前記先頭ピクチャ・データがＩタイプとして設定された映像データ部分とを含む前記アクセス単位の新たな映像データを生成する編集ステップと
を有する手順を実行することを特徴とする映像編集方法。
【請求項６】
前記設定ステップにより設定された位置を基準として再生対象として選択された映像データ部分を含み、前記編集ステップによる編集処理前の前記アクセス単位の映像データを前記ディスク記憶媒体の所定の領域にコピーするステップをさらに有することを特徴とする請求項５に記載の映像編集方法。
【請求項７】
前記編集ステップにより編集されたアクセス単位の映像データを元の映像データに復元する場合に、前記コピーステップによりコピーされた映像データを使用するステップさらに有することを特徴とする請求項６に記載の映像編集方法。
【発明の詳細な説明】
【０００１】
【発明の属する技術分野】
本発明は、特にディジタル画像情報からなる映像情報をディスク記憶媒体に記録し、かつ当該ディスク記憶媒体から再生する映像情報の記録再生システムに関する。
【０００２】
【従来の技術】
近年、ディジタルの映像情報または静止画像、音声情報、文字情報などのいわゆるマルチメディア情報を記録し、再生するための記録再生システムの開発が推進されている。特に、ＤＶＤ（ディジタル・ビデオ・ディスク）を記憶媒体として使用するＤＶＤドライブが注目されている。ＤＶＤドライブには、再生専用のＤＶＤ−ＲＯＭドライブ及び記録再生の可能なＤＶＤ−ＲＡＭドライブがある。
【０００３】
特にＤＶＤ−ＲＡＭドライブは、予めＤＶＤに記録されたマルチメディア情報を再生するだけでなく、例えばディジタル放送局から送信されたディジタルの映像情報を記録（録画）する機能を有する。このため、ＤＶＤ−ＲＡＭドライブは、テレビ受像機の画面上に映像情報を再生するビデオプレーヤまたはビデオデッキとしての機能だけでなく、パーソナルコンピュータの外部記憶装置としても注目されている。また、将来的には、例えばディジタル衛星放送用の受信装置（アンテナを含む）を有し、受信したディジタル映像情報をテレビ受像機またはパーソナルコンピュータのディスプレイ（画面）上に表示させる機能を備えたセット・トップ・ボックス（ｓｅｔ  ｔｏｐ  ｂｏｘ）またはＩＲＤ（ｉｎｔｅｇｒａｔｅｄ  ｒｅｃｅｉｖｅｒ  ｄｅｃｏｄｅｒ）などの装置に内蔵される記憶メディアとして有望である。
【０００４】
ところで、ＤＶＤ−ＲＡＭの記録再生機能を利用して、ＤＶＤ−ＲＡＭに記録（録画）した映像情報を編集する編集機能を比較的容易に実現することが可能である。映像情報を編集機能とは、テレビ受像機などの画面上に連続再生されている映像中に含まれる所望の画面情報をカット（除去）したり、または所望の画面情報を取り出して別の映像情報に含ませるような機能を意味する。このような編集機能を実現するためには、映像中の所望の画面情報をユーザが指定した画面単位（ピクチャ単位またはフレーム単位）に編集できる機能が必要である。
【０００５】
ここで、ＤＶＤ−ＲＡＭに記録する映像情報は、通常ではＭＰＥＧ（ｍｏｖｉｎｇ  ｐｉｃｔｕｒｅ  ｃｏｄｉｎｇ  ｅｘｐｅｒｔｓ  ｇｒｏｕｐ）２と呼ばれる動画像符号化方式により符号化（圧縮）される。このＭＰＥＧ２方式では、いわゆるＧＯＰ（Ｇｒｏｕｐ  ｏｆ  Ｐｉｃｔｕｒｅｓ）構造が採用されている。ＧＯＰ構造とは、映像データを複数のピクチャ（ｐｉｃｔｕｒｅ：画面）をグループ化して構成されたアクセス単位として取り扱うためのものであり、通常では１５枚の画面程度（再生時間で０．５秒程度）を想定している。
【０００６】
さらに、１ＧＯＰは、複数のピクチャ・タイプのピクチャ（以下ピクチャ・データと呼ぶ）を組み合わせて、所定のピクチャ数分から構成されている。ピクチャ・タイプとは、符号化画像の種類を意味し、Ｉピクチャ（Ｉｎｔｒａ符号化画像）、Ｐピクチャ（Ｐｒｅｄｉｃｔｉｖｅ符号化画像）、およびＢピクチャ（Ｂｉｄｉｒｅｃｔｉｏｎａｌｌｙ  Ｐｒｅｄｉｃｔｉｖｅ符号化画像）の３タイプを意味する。ここで、Ｉピクチャは、他のタイプのピクチャ・データとは独立して（前後の画面情報を要することなく）復号化できる画面情報である。ＰピクチャはＩピクチャからの差分情報を使用して復号化できる画面情報である。また、Ｂピクチャは前のＩピクチャと後のＰピクチャの各差分情報を使用して復号化できる画面情報である。要するに、Ｉピクチャ以外の他のピクチャ・タイプＰ，Ｂはそれ自身だけでは復号化できない符号化画像タイプである。
【０００７】
【発明が解決しようとする課題】
前述したように、ＤＶＤ−ＲＡＭを利用して、ディジタル映像情報を編集する場合に、ユーザが指定した画面単位（ピクチャ単位またはフレーム単位）に編集できる機能が必要である。しかしながら、ＭＰＥＧ２方式を採用した記録再生システムでは、映像データの取り扱い単位（換言すれば符号化単位）がＧＯＰ単位である場合に、ＧＯＰ内の位置が映像情報を分割するための基準位置として指定されることがある。即ち、複数のＧＯＰから構成される映像情報（ＧＯＰヘッダを含む連続再生データ単位）の所望の位置で分割する場合に、あるＧＯＰ内のピクチャを境界として分割指定されることが発生する。
【０００８】
ＧＯＰ内は、前述したように、複数のピクチャ・タイプのピクチャ・データから構成されている。このため、指定された分割位置を基準として、例えば前半部の映像データをカット（除去）する場合に、後半部の映像データの先頭部がＰピクチャまたはＢピクチャになる可能性がある。このＰピクチャまたはＢピクチャは独立して復号化できないため、当該後半部の映像データを含む映像情報は再生エラーが発生する。この場合、当該先頭部がＩピクチャの場合には問題はない。要するに、ＭＰＥＧ２方式のようなＧＯＰ単位で映像データを処理するシステムでは、ＧＯＰ単位での編集処理は容易であるが、ＧＯＰ内のピクチャ単位の編集処理は実際上では不可能である。
【０００９】
そこで、本発明の目的は、ＧＯＰ単位の映像データから構成される映像情報の編集処理を行なう場合に、ＧＯＰ内で指定された分割位置に相当するピクチャのピクチャ・タイプに依存することなく、当該分割位置を基準とした映像情報の分割処理を可能にして、映像情報の編集機能の向上を図ることにある。
【００１０】
【課題を解決するための手段】
本発明は、具体例としてＭＰＥＧ２方式のＧＯＰ構造のようなデータ構造を有する映像情報をディスク記憶媒体に記録し、当該ディスク記憶媒体から映像情報を再生する機能を備えた記録再生システムを想定している。本システムは、ディスプレイ上の画面に再生された映像情報において、例えばユーザが画面上で指定した画面情報を映像情報を分割するための基準位置として設定するための設定手段を有する。当該設定手段は、アクセス単位の映像データであるＧＯＰ内に当該基準位置を設定することができる。この設定手段は、具体的には編集処理用のコマンド入力機能を有する。
【００１１】
本発明の映像情報の記録再生システムは、符号化画像の種類毎に区別されたピクチャ・タイプのピクチャ・データを組み合わせて、所定のピクチャ数分から構成される映像データをアクセス単位として、当該映像データを組み合わせて構成される映像情報をディスク記憶媒体に記録し、当該ディスク記憶媒体から指定の映像情報を再生する機能を備えたものであって、前記アクセス単位の映像データ中において、前記ピクチャ・データの境界位置を編集処理用の位置として設定できる設定手段と、前記設定手段により設定された位置を基準として前記映像データ中から再生対象として選択された映像データ部分の先頭ピクチャ・データのピクチャ・タイプが独立して復号化できるＩタイプであるか否かを判定する判定手段と、前記判定手段の判定結果に基づいて、前記先頭ピクチャ・データがＩタイプでない場合には前記先頭ピクチャ・データをＩタイプのピクチャ・データに変換する手段と、前記映像データ中から前記再生対象として選択されない再生不可の映像データ部分を再生無効データに変換し、当該再生無効データと、前記再生対象として選択されて、かつ前記先頭ピクチャ・データがＩタイプとして設定された映像データ部分とを含む前記アクセス単位の新たな映像データを生成する編集手段とを備えた構成である。
【００１２】
このような本発明の記録再生システムであれば、連続再生データとして取り扱われている映像情報の一部をカットするような編集処理の場合に、当該カット位置（分割の基準位置）がＧＯＰ内であっても、当該カット位置の先頭部のピクチャを常に独立して復号化の可能なＩタイプのピクチャに設定することができる。従って、ＧＯＰ内の一部がカット対象の映像データの中に含まれても、当該カット位置の先頭部からの映像データを再生することが可能となる。これにより、複数のピクチャ・タイプからなるＧＯＰ単位の映像情報を編集処理する場合に、カット位置の制約を設ける事なく、当該カット位置がＧＯＰ内の場合であっても、必要な映像データを使用し、かつ不要な映像データをカットするような編集処理を容易に実現することが可能となる。
【００１３】
また、本発明の別の観点として、設定手段により設定されたＧＯＰの映像データをディスク記憶媒体の所定の領域にコピーするコピー手段を有するシステムである。このコピー手段を利用して、編集処理されたＧＯＰの映像データを元の映像データに復元することができる。これにより、ＧＯＰ内でカットされた映像データと編集された映像データとからなる元のＧＯＰを復元して、編集前の映像情報を復元することが可能となる。
【００１４】
【発明の実施の形態】
以下図面を参照して本発明の実施の形態を説明する。
図１は本実施形態に関係する記録再生システムの要部を示すブロック図である。
（システム構成）
本システムは、図１に示すように、ＤＶＤ−ＲＡＭドライブ１およびホストシステム２から構成される。ホストシステム２は、パーソナルコンピュータまたはディジタル映像情報をテレビ受像機の画面上に表示させる機能を備えたセット・トップ・ボックス（ｓｅｔ  ｔｏｐ  ｂｏｘ）などを想定している。ホストシステム２は、少なくともディジタル映像情報を再生するためのディスプレイ（画面）および本実施形態に関係する映像情報の編集処理に必要な各種コマンドを入力するための入力装置（キーボードやマウスなど）を備えている。
【００１５】
ＤＶＤ−ＲＡＭドライブ１は、大別してメイン制御部１０、入出力インターフェース１１、データ管理テーブル１２、アクセス制御部１３、ディスク（ＤＶＤ）１４、およびエンコーダ／デコーダ１５を備えている。
【００１６】
入出力インターフェース１１は、ホストシステム２との間で映像情報や各種コマンドの入出力を制御する。メイン制御部１０はマイクロプロセッサ（以下ＣＰＵと呼ぶ）であり、本実施形態に関係する映像情報の編集処理、およびアクセス制御部１３やエンコーダ／デコーダ１５を制御する。データ管理テーブル１２は本実施形態では映像情報の記録再生を管理するためのテーブル情報を記憶するメモリを意味し、ディスク１４上のテーブル情報格納エリアを含む概念である。
【００１７】
ディスク１４はディジタル映像情報の記録再生が可能なＤＶＤであり、ディジタル映像情報を含むいわゆるマルチメディア情報の記憶媒体である。アクセス制御部１３はＣＰＵ１０の制御に基づいて、ディスク１４に対する記録再生動作を実行する。エンコーダ／デコーダ１５は、本実施形態に関係するＭＰＥＧ２方式の動画像符号化および動画像復号化のそれぞれの処理を実行するための装置である。
【００１８】
以下、図１に示す記録再生システムにおいて、図２から図４を参照して第１の実施形態を説明し、図５と図６を参照して第２の実施形態を説明し、図７と図８を参照して第３の実施形態を説明し、図９を第４の実施形態を説明する。
（第１の実施形態）
本実施形態は、映像情報を分割するときに、ＧＯＰ内の基準位置で分割する場合を想定し、基準位置に対してＧＯＰ内の後半部の映像データ部を再生使用し、前半部の映像データ部を再生不可とする編集処理に関する。
【００１９】
まず、本実施形態および他の実施形態の共通する映像情報の取扱い方式を図２と図３を参照して説明する。データ管理テーブル１２は、ディスク１４に記録（録画）された映像情報において、連続再生データ単位となる各映像情報２０ａ，２０ｂをアクセス管理するための管理情報を有する。データ管理テーブル１２は、管理対象の各映像情報２０ａ，２０ｂ毎に、拡張（ＥＸＴＥＮＴＩＯＮ）管理テーブル（以下ＥＸ−管理テーブルと呼ぶ）１２ａ，１２ｂを有する。データ管理テーブル１２は、図３に示すように、各ＥＸ−管理テーブル毎に映像情報の連続再生動作が有効、無効などを管理するための管理情報を有する。
【００２０】
ここでは、図２に示すように、ＥＸ−Ａ管理テーブル１２ａは映像情報２０ａを管理し、ＥＸ−Ｂ管理テーブル１２ｂは映像情報２０ｂを管理している。各映像情報２０ａ，２０ｂは、ＧＯＰを映像データ単位とするストリームである。ＧＯＰ２１は、ＧＯＰヘッダを先頭として、Ｉタイプ、Ｐタイプ、Ｂタイプの各ピクチャ・タイプからなるピクチャ・データの複数画面分（１５画面程度）をグループ化した映像データである。Ｉタイプ、Ｐタイプ、Ｂタイプはそれぞれ、ＭＰＥＧ２方式の規格仕様に対応するＩピクチャ（Ｉｎｔｒａ符号化画像）、Ｐピクチャ（Ｐｒｅｄｉｃｔｉｖｅ符号化画像）、およびＢピクチャ（Ｂｉｄｉｒｅｃｔｉｏｎａｌｌｙ  Ｐｒｅｄｉｃｔｉｖｅ符号化画像）の３タイプを意味する。ここで、Ｉピクチャは、他のタイプのピクチャ・データとは独立して（前後の画面情報を要することなく）復号化できる画面情報である。ＰピクチャはＩピクチャからの差分情報を使用して復号化できる画面情報である。また、Ｂピクチャは前のＩピクチャと後のＰピクチャの各差分情報を使用して復号化できる画面情報である。要するに、Ｉピクチャ以外の他のピクチャ・タイプＰ，Ｂはそれ自身だけでは復号化できない符号化画像タイプである。
【００２１】
以下図４のフローチャートを参照して第１の実施形態の動作を説明する。まず、ＤＶＤ−ＲＡＭドライブのＣＰＵ１０は、入出力インターフェース１１を介してホストシステム２から転送されたディジタルの映像情報をディスク１４に記録（録画）する（ステップＳ１）。次に、ユーザの入力操作に伴うホストシステム２からのコマンドに応じて、ＣＰＵ１０は、ディスク１４から記録した映像情報を読出し、入出力インターフェース１１を介してホストシステム２へ転送する（ステップＳ２）。これにより、ホストシステム２の画面上には、ユーザが指定した映像情報（図２の２０ａとする）が再生されることになる。
【００２２】
ここで、ユーザが画面上を確認しながら、例えばマウスの操作により、映像情報２０ａの前半部の映像データをカットするためのカット位置を指示したと想定する（ステップＳ３）。ＣＰＵ１０は、データ管理テーブル１２の管理情報に基づいて、指示されたカット位置に該当するＧＯＰとＧＯＰ内のカット位置ＣＰを特定する（ステップＳ４）。即ち、図２に示すように、ユーザの指示したカット位置ＣＰは、映像情報２０ａに含まれるＧＯＰ内の位置である。
【００２３】
ＣＰＵ１０は、特定されたＧＯＰ２１のカット位置ＣＰを基準位置として、後半部の映像データ部（ここではＢ，Ｐ，Ｂ，Ｂの各タイプのピクチャ・データからなる）の先頭部分のピクチャ・タイプを検出する（ステップＳ５）。この場合、ＣＰＵ１０は例えばＧＯＰヘッダを参照することにより先頭部分のピクチャ・タイプを認識する。ここで、当該先頭部分のピクチャ・タイプがＩタイプであれば、ＣＰＵ１０はカット位置ＣＰを基準位置とした前半部の映像データ部Ｖａを再生無効データに変換する（ステップＳ６のＹＥＳ，Ｓ７）。この再生無効データとは、映像情報として再生不可となるユーザデータに変更する。この場合、実際には映像データ部Ｖａはピクチャ・データがそのままであり、ＧＯＰヘッダの内容を変更することにより再生無効データに変換する。
【００２４】
一方、当該先頭部分のピクチャ・タイプがＩタイプではない場合には、当該後半部の映像データ部Ｖｂは、再生動作時に独立では復号化できないＢタイプ（またはＰタイプ）であるため、このままでは映像データとしては再生無効である。そこで、本発明では、ＣＰＵ１０は当該先頭部分のピクチャ・タイプをエンコーダ／デコーダ１５を制御して、Ｉタイプに変換する処理を実行する（ステップＳ６のＮＯ）。即ち、ＣＰＵ１０は、当該ＧＯＰ２１のＩタイプとＰタイプの各ピクチャ・データを使用して、Ｂタイプのピクチャ・データを原画像データに復号化する（ステップＳ８）。そして、ＣＰＵ１０は、当該原画像データをＩタイプのピクチャ・データに変換する（ステップＳ９）。
【００２５】
ここで、Ｉタイプのピクチャ・データはＢタイプまたはＰタイプのピクチャ・データと比較して、データ量が大きくなる。そこで、ＣＰＵ１０は、後半部の映像データ部Ｖｂの領域をＩタイプのピクチャ・データに変換して増大した分だけ前半部側の領域まで拡張する処理を実行する（ステップＳ１０）。そして、ＣＰＵ１０は前半部の映像データ部Ｖａを再生無効データに変換した新たなＧＯＰ２２を生成する（ステップＳ１１）。なお、ＣＰＵ１０は、Ｉタイプのピクチャ・データに変換する前に、当該ＧＯＰの映像データ２１ａをユーザデータ（再生無効データ）としてディスク１４上に保存し、前述の変換処理に使用する。
【００２６】
このようなＧＯＰ内の変換処理を実行した後に、ＣＰＵ１０は、図３に示すように、新たに生成したＧＯＰ２２を含む映像情報２０ａ２を管理するＥＸ−Ａ２管理テーブル１２ａ２およびカット対象の映像情報２０ａ１を管理するＥＸ−Ａ１管理テーブル１２ａ１を設定する（ステップＳ１２）。データ管理テーブル１２は、ＥＸ−Ａ２管理テーブル１２ａ２により管理される映像情報２０ａ２およびＥＸ−Ｂ管理テーブル１２ｂにより管理される映像情報２０ｂをそれぞれ連続再生データとして管理する。一方、カット対象の映像情報２０ａ１は、再生不可データとして管理される。
【００２７】
以上のように本実施形態によれば、再生している映像情報２０ａの前半部をカットするような編集処理を行なう場合に、指定したカット位置ＣＰがＧＯＰ内であっても、当該位置ＣＰを基準としてＧＯＰ２１の内部も再生使用するための後半部の映像データ部Ｖｂと再生不可とする（即ち、カット対象）映像データ部Ｖａに分割処理することができる。この編集処理により、ユーザは新たに生成されたＧＯＰ２２を先頭とする映像情報２０ａ２を再生することができる。この映像情報２０ａ２は、ユーザが指定したカット位置ＣＰを基準として後半部の映像データ（ＧＯＰ２２の映像データ部Ｖｂを含む）からなる編集処理後の映像である。一方、図３に示すように、元の映像情報２０ａからカット位置ＣＰを基準とした前半部の映像データ２０ａ１およびＧＯＰ２２の映像データ部Ｖｂを除く前半部の映像データ部は、再生無効データとしてカットされる。
（第２の実施形態）
第２の実施形態は、ユーザがカット位置ＣＰを指定した場合に、当該カット位置ＣＰを基準として前半部または後半部を選択できる機能を有し、後半部の映像情報をカット対象として選択した場合である。前述の第１の実施形態は、前半部の映像情報をカット対象として選択した場合に相当する。
【００２８】
以下図６のフローチャートを参照して第２の実施形態の動作を説明する。まず、ＤＶＤ−ＲＡＭドライブのＣＰＵ１０は、入出力インターフェース１１を介してホストシステム２から転送されたディジタルの映像情報をディスク１４に記録（録画）する（ステップＳ２０）。次に、ユーザの入力操作に伴うホストシステム２からのコマンドに応じて、ＣＰＵ１０は、ディスク１４から記録した映像情報を読出し、入出力インターフェース１１を介してホストシステム２へ転送する（ステップＳ２１）。これにより、ホストシステム２の画面上には、ユーザが指定した映像情報（図２の２０ａとする）が再生されることになる。
【００２９】
ここで、ユーザが画面上を確認しながら、例えばマウスの操作により、映像情報２０ａの後半部の映像データをカットするためのカット位置を指示したと想定する（ステップＳ２２）。ＣＰＵ１０は、データ管理テーブル１２の管理情報に基づいて、指示されたカット位置に該当するＧＯＰとＧＯＰ内のカット位置ＣＰを特定する（ステップＳ２３）。即ち、図２に示すように、ユーザの指示したカット位置ＣＰは、映像情報２０ａに含まれるＧＯＰ内の位置である。
【００３０】
ＣＰＵ１０は、特定されたＧＯＰ２１のカット位置ＣＰを基準位置として、後半部の映像データ部Ｖｂを再生無効データ（ユーザデータ）に変換する（ステップＳ２４）。ここで、再生使用対象の前半部の映像データ部Ｖａには、通常ではかならずＩタイプのピクチャ・データが含まれている。従って、前述のようなＩピクチャに変換するような処理は不要である。
【００３１】
そして、前述と同様に、ＣＰＵ１０は、新たに生成したＧＯＰ２２ａを含む映像情報を管理するＥＸ−Ａ１管理テーブル１２ａ１およびカット対象の映像情報２０ａ２を管理するＥＸ−Ａ２管理テーブル１２ａ２を設定する（ステップＳ２５）。即ち、この場合には、ＧＯＰ２２ａを含む４ＧＯＰからなる映像情報は連続再生データとして管理される。また、図３において、ＧＯＰ２２を含まない映像情報２０ａ２はカット対象の再生不可データとして管理される。
【００３２】
以上のように本実施形態によれば、再生している映像情報２０ａの後半部をカットするような編集処理を行なう場合でも、前述の第１の実施形態と同様に、指定したカット位置ＣＰがＧＯＰ内であっても、当該位置ＣＰを基準としてＧＯＰ２１の内部も再生使用するための前半部の映像データ部Ｖａと再生不可とする（即ち、カット対象）映像データ部Ｖｂに分割処理することができる。この編集処理により、ユーザは新たに生成されたＧＯＰ２２ａを後半部に含む映像情報２０ａ１を再生することができる。一方、元の映像情報２０ａからカット位置ＣＰを基準としてＧＯＰ２２を含まない映像データ２０ａ２は、再生無効データとしてカットされる。
（第３の実施形態）
第３の実施形態は、図２に示す編集対象のＧＯＰ２１のコピーデータ２１ｃをディスク１４上にバックアップデータとして保存する機能を有し、当該コピーデータ２１ｃを利用して元のＧＯＰ２１に復元できる機能である。
【００３３】
以下図８のフローチャートを参照して第３の実施形態の動作を説明する。まず、ＤＶＤ−ＲＡＭドライブのＣＰＵ１０は、入出力インターフェース１１を介してホストシステム２から転送されたディジタルの映像情報をディスク１４に記録（録画）する（ステップＳ３０）。次に、ユーザの入力操作に伴うホストシステム２からのコマンドに応じて、ＣＰＵ１０は、ディスク１４から記録した映像情報を読出し、入出力インターフェース１１を介してホストシステム２へ転送する（ステップＳ３１）。これにより、ホストシステム２の画面上には、ユーザが指定した映像情報（図２の２０ａとする）が再生されることになる。
【００３４】
ここで、ユーザが画面上を確認しながら、例えばマウスの操作により、映像情報２０ａの前半部の映像データをカットするためのカット位置を指示したと想定する（ステップＳ３２）。ＣＰＵ１０は、データ管理テーブル１２の管理情報に基づいて、指示されたカット位置に該当するＧＯＰとＧＯＰ内のカット位置ＣＰを特定する（ステップＳ３３）。即ち、図２に示すように、ユーザの指示したカット位置ＣＰは、映像情報２０ａに含まれるＧＯＰ内の位置である。
【００３５】
ここで、ＣＰＵ１０は、特定したＧＯＰ２１のコピーデータ２１ｃをバックアップデータとしてディスク１４上に保存する（ステップＳ３４）。次に、前述の第１の実施形態と同様のカット位置ＣＰを基準位置とした分割処理を実行する（ステップＳ３５）。即ち、ＣＰＵ１０は、カット位置ＣＰを基準位置とした後半部の映像データ部Ｖｂの当該先頭部分をＩタイプのピクチャ・データに変換し、前半部の映像データ部Ｖａを再生無効データに変換する。
【００３６】
さらに、ＣＰＵ１０は、図７に示すように、新たに生成したＧＯＰ２２を含む映像情報２０ａ２を管理するＥＸ−Ａ２管理テーブル１２ａ２およびカット対象の映像情報２０ａ１を管理するＥＸ−Ａ１管理テーブル１２ａ１を設定する（ステップＳ３６）。データ管理テーブル１２は、ＥＸ−Ａ２管理テーブル１２ａ２により管理される映像情報２０ａ２およびＥＸ−Ｂ管理テーブル１２ｂにより管理される映像情報２０ｂをそれぞれ連続再生データとして管理する。一方、カット対象の映像情報２０ａ１は、再生不可データとして管理される。
【００３７】
ここで、ユーザから編集処理された映像情報２０ａ２に対する復帰処理の指示がなされたと想定する（ステップＳ３７のＹＥＳ）。ＣＰＵ１０は、データ管理テーブル１２を参照して、映像情報２０ａ２に含まれる当該ＧＯＰ２２を特定する（ステップＳ３８）。さらに、ＣＰＵ１０は、データ管理テーブル１２を参照して、特定されたＧＯＰ２２に対応するコピーデータ２１ｃを検索する。ＣＰＵ１０は、コピーデータ２１ｃを読出して映像情報２０ａ２に含まれる当該ＧＯＰ２２と変更する（ステップＳ３９）。これにより、編集処理後のＧＯＰ２２は元のＧＯＰ２１に復元される。
【００３８】
さらに、ＣＰＵ１０は、ＥＸ−Ａ１管理テーブル１２ａ１により管理されているカット対象の映像情報２０ａ１を再生有効なデータとして再設定し、この映像情報２０ａ１と復元されたＧＯＰ２１を含む映像情報２０ａ２とを、連続再生データとして管理するための新たなＥＸ−管理テーブルを設定する（ステップＳ４０）。
【００３９】
以上のように本実施形態によれば、内部にカット位置ＣＰが設定されたＧＯＰ２１のコピーデータ２１ｃを予めバックアップデータとして保存することにより、編集処理後のＧＯＰ２２を元のＧＯＰ２１に復元させることが可能となる。さらに、カット位置ＣＰを基準としてカット対象に設定した映像情報を再生有効に設定し、復元したＧＯＰ２１を含む映像情報と共に連続再生データとして管理することにより、結果的にカット編集処理前の元の映像情報を復元することができる。
（第４の実施形態）
第４の実施形態は、前述の各実施形態における編集処理後のＧＯＰ２２を映像情報に含ませる場合の動作である。以下、図９を参照して本実施形態の動作を説明する。
【００４０】
本実施形態においても、前述の第１の実施形態と同様に、ユーザが指定したカット位置ＣＰに基づいて映像情報２０ａに含まれるＧＯＰ２１の内部を編集処理して新たなＧＯＰ２２を生成する。そして、ＣＰＵ１０は、図９に示すように、新たに生成したＧＯＰ２２を含む映像情報２０ａ２を管理するＥＸ−Ａ２管理テーブル１２ａ２およびカット対象の映像情報２０ａ１を管理するＥＸ−Ａ１管理テーブル１２ａ１を設定する。
【００４１】
ここで、ユーザからの指定に応じて、ＣＰＵ１０は、生成したＧＯＰ２２を別の映像情報２０ｃに繋ぎ合わせて映像情報を編集する場合を想定する。この場合、ＣＰＵ１０は、図９に示すように、ＧＯＰ２２を含む映像情報２０ｃを管理するためのＥＸ−Ｃ管理テーブル１２ｃを設定する。データ管理テーブル１２は、ＥＸ−Ａ２管理テーブル１２ａ２により管理される映像情報２０ａ２、ＥＸ−Ｂ管理テーブル１２ｂにより管理される映像情報２０ｂ、およびＥＸ−Ｃ管理テーブル１２ｃにより管理される映像情報２０ｃをそれぞれ連続再生データとして管理する。一方、カット対象の映像情報２０ａ１は、再生不可データとして管理される。
【００４２】
以上のように本実施形態によれば、映像情報２０ａの前半部をカットするような編集処理に伴って指定したカット位置ＣＰを含むＧＯＰ２１から新たに生成されたＧＯＰ２２を使用して、新たな映像情報２０ｃを編集することが可能である。この場合、映像情報２０ｃに含まれたＧＯＰ２２の前半部の映像データ部は、カット対象として再生無効データに変換されている。従って、映像情報２０ｃは、ＥＸ−Ｃ管理テーブル１２ｃにより管理されて、ＧＯＰ２２の後半部の映像データ部Ｖｂから連続的に再生されることになる。
【００４３】
【発明の効果】
以上詳述したように本発明によれば、例えばＤＶＤ−ＲＡＭを利用したディジタル映像情報の記録再生システムにおいて、特にＭＰＥＧ２方式の画像符号化とＧＯＰ構造を採用した方式を適用した場合に、ＧＯＰ内で指定された分割位置に相当するピクチャのピクチャ・タイプに依存することなく、当該分割位置を基準とした映像情報の分割処理を可能にすることができる。従って、ＧＯＰ単位の映像データから構成される映像情報の編集処理を行なう場合に、結果的にＧＯＰ内の編集処理を実現することができるため、映像情報の編集機能の向上を図ることができる。
【図面の簡単な説明】
【図１】本発明の各実施形態に関係する記録再生システムの要部を示すブロック図。
【図２】第１の実施形態の動作を説明するための概念図。
【図３】第１の実施形態の動作を説明するための概念図。
【図４】第１の実施形態の動作を説明するためのフローチャート。
【図５】第２の実施形態の動作を説明するための概念図。
【図６】第２の実施形態の動作を説明するためのフローチャート。
【図７】第３の実施形態の動作を説明するための概念図。
【図８】第３の実施形態の動作を説明するためのフローチャート。
【図９】第４の実施形態の動作を説明するための概念図。
【符号の説明】
１…ＤＶＤ−ＲＡＭドライブ
２…ホストシステム
１０…メイン制御部（ＣＰＵ）
１１…入出力インターフェース
１２…データ管理テーブル
１３…アクセス制御部
１４…ディスク（ＤＶＤ）
１５…エンコーダ／デコーダ
【図１】
0003665456.tif 000002
【図２】
0003665456.tif 000003
【図３】
0003665456.tif 000004
【図４】
0003665456.tif 000005
【図５】
0003665456.tif 000006
【図６】
0003665456.tif 000007
【図７】
0003665456.tif 000008
【図８】
0003665456.tif 000009
【図９】
0003665456.tif 000010